(57)【要約】【課題】ユーザによりテレビの受信性能（フロントエンド性能）を切り替え可能にしたデジタル放送受信機を提供すること【解決手段】デジタル放送波を受信して復調するフロントエンド部と、フロントエンド部の受信モードを複数記憶した記憶部と、記憶部に記憶した受信モード選択画面を画面表示する映像表示部と、記憶部に記憶されたフロントエンド部の受信モードによりフロントエンド部の設定を制御する制御部を備え、ユーザは画像によりブロックノイズの有無を確認し、最適なフロントエンドの受信モードを選択することができ、リモコンのキー入力操作によりフロントエンドの性能モードを切り替え可能となる。【選択図】図１
2008182521.tif 000002
【特許請求の範囲】
【請求項１】
デジタル放送波を受信して復調するフロントエンド部と、
前記フロントエンド部の受信モードを複数記憶した記憶部と、
前記記憶部に記憶した前記受信モード選択画面を画面表示する映像表示部と、
前記記憶部に記憶されたフロントエンド部の受信モードにより前記フロントエンド部の設定を制御する制御部を備え、
前記制御部は、前記フロントエンド部の前記受信モードを切り替えることを特徴とするデジタル放送受信機。
【請求項２】
デジタル放送波を受信して復調するフロントエンド部と、
前記フロントエンド部の受信モードを複数記憶した記憶部と、
前記記憶部に記憶した前記受信モード選択画面を画面表示する映像表示部と、
前記記憶部に記憶されたフロントエンド部の受信モードにより前記フロントエンド部の設定を制御する制御部と、
前記フロントエンド部が復調した映像のブロックノイズ量を検出するブロックノイズ検出部を備え、
前記制御部は、前記ブロックノイズ検出部が検出したブロックノイズ量を前記映像表示部に画面表示させることを特徴とするデジタル放送受信機。
【請求項３】
前記制御部は、前記ブロックノイズ検出部が検出したブロックノイズ量を複数の受信モード毎に記憶させることを特徴とする請求項２に記載のデジタル放送受信機。
【請求項４】
前記制御部は、前記複数の受信モードの前記ブロックノイズ量から最適な受信モードを選択し、前記記憶部に記憶させることを特徴とする請求項３に記載のデジタル放送受信機。
【請求項５】
デジタル放送波を受信して復調するフロントエンド部と、
前記フロントエンド部の受信モードを複数記憶した記憶部と、
前記記憶部に記憶した前記受信モード選択画面を画面表示する映像表示部と、
前記記憶部に記憶されたフロントエンド部の受信モードにより前記フロントエンド部の設定を制御する制御部と、
前記フロントエンド部が復調した信号のビット誤り率を算出するビット誤り率算出部とを備え、
前記制御部は、前記ビット誤り率算出部が算出したビット誤り率量を前記映像表示部に画面表示させることを特徴とするデジタル放送受信機。
【請求項６】
前記制御部は、前記ビット誤り率算出部が算出したビット誤り率量を複数の受信モード毎に記憶させることを特徴とする請求項５に記載のデジタル放送受信機。
【請求項７】
前記制御部は、前記複数の受信モードの前記ビット誤り率量から最適な受信モードを選択し、前記記憶部に記憶させることを特徴とする請求項６に記載のデジタル放送受信機。
【発明の詳細な説明】
【技術分野】
【０００１】
本発明はユーザによりデジタルテレビの受信性能（フロントエンド性能）を切り替え可能にしたデジタル放送受信機に関するものである。
【背景技術】
【０００２】
従来のデジタル放送受信機において、チューナと復調ＬＳＩで構成されテレビの受信性能を左右するフロントエンドは、適応制御を行わずに一意的にレジスタ設定値を決定していた。もしくは、その復調ＬＳＩのレジスタ設定値をあらかじめ２種類以上準備し、適応制御アルゴリズムにより、そのレジスタ設定値切り替えを行っていた。
【０００３】
ここで、従来のデジタル放送受信機の構成を交えながら説明する。図１０は従来のデジタル放送受信機のブロック図である。
【０００４】
図１０において、デジタル放送受信機９００は、放送波を受信するためにアンテナ２００が接続されている。また、デジタル放送受信機９００は、ユーザが遠隔より操作できるようリモコン３００により遠隔操作可能となっている。
【０００５】
デジタル放送受信機９００は、入力端子９１０と、フロントエンド部９２０と、制御部９５０と、リモコン受信部９６０と、ＯＳＤ（Ｏｎ  Ｓｃｒｅｅｎ  Ｄｉｓｐｌａｙ）部９７０と、映像表示部９８０とで構成している。
【０００６】
入力端子９１０は、アンテナ２００が受信した放送波をデジタル放送受信機９００に入力するインターフェースである。
【０００７】
フロントエンド部９２０は、入力端子９１０から入力した放送波を受信してユーザの選択したチャンネルをチューニングするチューナ部９２１と、チューニングされた受信信号を映像信号に復調する復調部９２２から構成されている。復調部９２２は一意的に決定されたレジスタ設定値で受信信号を復調する。もしくは、受信信号から最適なレジスタ値を選択するための基準値を算出し、その基準値に基づいて最適なレジスタ値を設定するという適応アルゴリズムを動作させ、復調する。
【０００８】
制御部９５０は、ユーザがリモコン３００から操作ガイドの表示などの指示を入力したとき、ＯＳＤ部９７０にＯＳＤ図を表示させるようにする。また、ユーザがリモコン３００で入力したチャンネルチューニングの指示をフロントエンド部９２０のチューナ部９２１に出力する。
【０００９】
リモコン受信部９６０は、ユーザがリモコン３００で入力した指示をリモコン信号から電気信号に変換し、制御部９５０に伝達する。
【００１０】
ＯＳＤ部９７０は、制御部９５０の指示により操作ガイドの図を作成するなど、受信した映像以外のＯＳＤ画面を作成する。
【００１１】
映像表示部９８０は、フロントエンド部９２０の復調部９２２で復調された映像信号を表示したり、その映像信号の上に、ＯＳＤ部９７０で作成された映像を上乗せして表示したりする。映像表示部９８０はプラズマディスプレイ、液晶パネル、ブラウン管などで構成される。
【特許文献１】特開２００２−３７４４３０号公報
【発明の開示】
【発明が解決しようとする課題】
【００１２】
しかしながら、実際にアンテナで受信する信号は多種多様であり、適応制御アルゴリズムの想定よりも大きく外れた信号を受信する状況になった場合、前記従来の構成では適応制御アルゴリズムが正しく動作せず、その受信信号に適したレジスタ設定値にならずに、受信結果としてブロックノイズが発生する場合があるという課題があった。また、送信側としての規格外の信号を受信するときや、難視聴地域で受信するときも、適応制御アルゴリズムが正しく動作せず、ブロックノイズが発生するこという課題があった。
【００１３】
本発明は、前記従来の課題を解決するもので、ユーザによりテレビの受信性能（フロトエンド性能）を切り替え可能にしたデジタル放送受信機を提供することを目的とする。
【課題を解決するための手段】
【００１４】
前記従来の課題を解決するために、本発明のデジタル放送受信機は、デジタル放送波を受信して復調するフロントエンド部と、フロントエンド部の受信モードを複数記憶した記憶部と、記憶部に記憶した受信モード選択画面を画面表示する映像表示部と、記憶部に記憶されたフロントエンド部の受信モードによりフロントエンド部の設定を制御する制御部を備える。
【００１５】
また、本発明のデジタル放送受信機は、デジタル放送波を受信して復調するフロントエンド部と、フロントエンド部の受信モードを複数記憶した記憶部と、記憶部に記憶した受信モード選択画面を画面表示する映像表示部と、記憶部に記憶されたフロントエンド部の受信モードによりフロントエンド部の設定を制御する制御部と、フロントエンド部が復調した映像のブロックノイズ量を検出するブロックノイズ検出部とを備え、制御部は、前記ブロックノイズ検出部が検出したブロックノイズ量を前記映像表示部に画面表示させる。
【００１６】
また、本発明のデジタル放送受信機は、デジタル放送波を受信して復調するフロントエンド部と、フロントエンド部の受信モードを複数記憶した記憶部と、記憶部に記憶した受信モード選択画面を画面表示する映像表示部と、記憶部に記憶されたフロントエンド部の受信モードによりフロントエンド部の設定を制御する制御部と、フロントエンド部が復調した信号のビット誤り率を算出するビット誤り率算出部とを備え、制御部は、ビット誤り率算出部が算出したビット誤り率量を映像表示部に画面表示させる。
【００１７】
本構成によって、ユーザは最適なフロントエンドの受信モードを確認することができ、リモコンのキー入力操作によりフロントエンドの性能モードを切り替え可能となる。
【発明の効果】
【００１８】
本発明のデジタル放送受信機によれば、アンテナで受信する多種多様信号で適応制御アルゴリズムの想定よりも大きく外れた信号を受信する状況になった場合や、送信側としての規格外の信号や難視聴地域で受信する状況になった場合に、ブロックノイズの発生しない映像を提供することができる。
【発明を実施するための最良の形態】
【００１９】
以下本発明を実施するための最良の形態について、図面を参照しながら説明する。
【００２０】
（実施の形態１）
まず、本発明のデジタル放送受信機の構成について説明する。図１は、本発明の実施の形態１におけるデジタル放送受信機のブロック図である。
【００２１】
図１において、デジタル放送受信機１００は、放送波を受信するためにアンテナ２００が接続されている。また、デジタル放送受信機１００は、ユーザが遠隔より操作できるようリモコン３００により遠隔操作可能となっている。
【００２２】
デジタル放送受信機１００は、入力端子１１０と、フロントエンド部１２０と、記憶部１４０と、制御部１５０と、リモコン受信部１６０と、ＯＳＤ（Ｏｎ  Ｓｃｒｅｅｎ  Ｄｉｓｐｌａｙ）部１７０と、映像表示部１８０とで構成されている。
【００２３】
入力端子１１０は、アンテナ２００が受信した放送波をデジタル放送受信機１００に入力するインターフェースである。
【００２４】
フロントエンド部１２０は、入力端子１１０から入力した放送波を受信してユーザの選択したチャンネルをチューニングするチューナ部１２１と、チューニングされた受信信号を映像信号に復調する復調部１２２から構成されている。復調部１２２は制御部１５０経由でユーザから指示されたフロントエンドの受信モードで受信信号を復調する。
【００２５】
記憶部１４０は、フロントエンド部１２０の復調部１２２の受信モードを複数記憶している。その複数のモードとは、通常受信モードと、フロントエンド性能の重要な性能を強くするモードで、２種類以上準備する。そして、仮に、フロントエンド強化モードＡとフロントエンド強化モードＢとする。そして、通常受信モード、フロントエンド強化モードＡ、フロントエンド強化モードＢの各々のレジスタ値を記憶部１４０に準備する。
【００２６】
通常受信モードは復調部１２２のレジスタ設定値をあらかじめ２種類以上準備し、適応制御アルゴリズムにより、そのレジスタ設定値切り替えを行うモードである。そして、フロントエンド強化モードＡ、Ｂは適応制御せずに、各々の１種類のレジスタ値を準備しておき、強化する性能はＡとＢで違うという特徴を持つ。たとえば、フロントエンド強化モードＡでは対位相雑音性能を強くするレジスタ値を準備する。フロントエンド強化モードＢでは、ゴースト性能を強くするレジスタ値を準備する。なお、フロントエンド強化モードは、前記位相雑音性能、ゴースト性能だけでなく、ノイズ性能、ＡＧＣ追従性能など、復調部１２２を構成する構成要素全てにおいて準備する可能性があり、受信モードの数を増やせば拡張可能である。
【００２７】
制御部１５０は、ユーザがリモコン３００でフロントエンドの受信モードを選択する指示を入力したとき、ＯＳＤ部１７０に図２の受信モードの選択の図を表示させるようにする。そして、ユーザがリモコン３００で選択したフロントエンドの受信モードを記憶部１４０に記憶された複数のモードから選択された受信モードを選び出し、フロントエンド部１２０の復調部１２２に出力して、フロントエンド部１２０が最適な受信モードで受信信号を復号するように制御する。
【００２８】
リモコン受信部１６０は、ユーザがリモコン３００で入力した指示をリモコン信号から電気信号に変換し、制御部１５０に伝達する。
【００２９】
ＯＳＤ部１７０は、制御部１５０の指示により図２の受信モードの選択の図を作成したり、ＯＳＤ画面を作成したりする。
【００３０】
映像表示部１８０は、フロントエンド部１２０の復調部１２２で復調された映像信号を表示したり、その映像信号の上に、ＯＳＤ部１７０で作成された映像を上乗せして表示したりする。映像表示部１８０はプラズマディスプレイ、液晶パネル、ブラウン管などで構成される。
【００３１】
次に、本発明のデジタル放送受信機のフローについて説明する。図３は本発明の実施の形態１におけるデジタル放送受信機の受信モード選択のフローチャートである。
【００３２】
ユーザがチューニングする地上波デジタル放送のチャンネルのフロントエンドの受信モードを通常受信モード以外に選択するときは、まず制御部１５０はリモコン受信部１６０経由でリモコン信号を入力し、受信モードの選択画面に入る指示であることを確認する。そして、制御部１５０はＯＳＤ部１７０に図２のデジタル放送受信機の受信モード選択の図を作成するように指示し、映像表示部１８０に受信モードの選択画面を表示させる（ステップＳ４１０）。
【００３３】
受信モードは出荷時において設定１（通常受信モード）であるが、この受信モード選択画面でユーザは設定２（フロントエンド強化モードＡ）、設定３（フロントエンド強化モード）のいずれかをリモコン３００で選択することが可能となる。制御部１５０は、ユーザが設定１（通常受信モード）以外の受信モードを選択したかどうかを確認する（ステップＳ４２０）。ステップＳ４２０で設定１（通常受信モード）以外を選択した場合、例えば、ユーザがリモコン３００で設定２（フロントエンド強化モードＡ）を選択した場合、制御部１５０はリモコン受信部１６０経由で入力したリモコン信号から現在チューニング中のチャンネルの受信モードを設定２（フロントエンド強化モードＡ）に変更すると判断する。そして、制御部１５０は記憶部１４０に記憶されている設定２（フロントエンド強化モードＡ）の設定レジスタ値を呼出し（ステップＳ４３０）、フロントエンド部１２０の復調部１２２に出力し、復調部１２２が設定２（フロントエンド強化モードＡ）の設定レジスタ値で再復調を行うように制御する（ステップＳ４４０）。
【００３４】
また、ステップＳ４２０で設定１（通常受信モード）を選択した場合、受信モード選択を終了する。
【００３５】
ユーザは映像受信画面をみて受信結果が良好であるかどうか判断する（ステップＳ４７０）。ステップＳ４７０で受信結果が良好と判断した場合は、そのチャンネルでの受信モード選択が完了してその受信モードで固定すべく、リモコン３００で受信モード選択の完了の指示を行う。制御部１５０はリモコン受信部１６０経由で、ユーザからの受信モード選択完了指示を入力し、最後に再復調した受信モードがそのチャンネルの最適受信モードとして記憶部１４０に記憶する（ステップＳ４８０）。
【００３６】
或いは、ステップＳ４７０での受信結果が良好と判断しなかった場合は、再度ステップＳ４２０に戻って、他の受信モードでステップＳ４３０からステップＳ４４０の再復調を行う。そして、ユーザは映像画面を見て、受信結果が良好であるかを判断し（ステップＳ４７０）、最適な受信モードを選択する。制御部１５０はユーザが選択した受信モードがそのチャンネルの最適受信モードとして記憶部１４０に記憶する（ステップＳ４８０）。これらのフローにて本発明のデジタル放送受信機の受信モードの選択は完了する。
【００３７】
かかる構成によれば、フロントエンド性能にとって重要な性能を重視したモードを有し、ユーザのキー入力操作でモード設定を行うことにより、最適な受信モードを選択することが可能となり、ブロックノイズの少ない良好な画像を出力することができる。
【００３８】
（実施の形態２）
まず、本発明のデジタル放送受信機の構成について説明する。図４は、本発明の実施の形態２におけるデジタル放送受信機のブロック図である。
【００３９】
図４において、デジタル放送受信機５００は、放送波を受信するためにアンテナ２００が接続されている。また、デジタル放送受信機５００は、ユーザが遠隔より操作できるようリモコン３００により遠隔操作可能となっている。
【００４０】
デジタル放送受信機５００は、入力端子５１０と、フロントエンド部５２０と、ブロックノイズ検出部５３０と、記憶部５４０と、制御部５５０と、リモコン受信部５６０と、ＯＳＤ（Ｏｎ  Ｓｃｒｅｅｎ  Ｄｉｓｐｌａｙ）部５７０と、映像表示部５８０とで構成されている。
【００４１】
入力端子５１０は、アンテナ２００が受信した放送波をデジタル放送受信機５００に入力するインターフェースである。
【００４２】
フロントエンド部５２０は、入力端子５１０から入力した放送波を受信してユーザの選択したチャンネルをチューニングするチューナ部５２１と、チューニングされた受信信号を映像信号に復調する復調部５２２から構成されている。復調部５２２は制御部５５０経由でユーザから指示されたフロントエンドの受信モードで受信信号を復調する。
【００４３】
ブロックノイズ検出部５３０は、復調部５２２で復調した映像信号に含まれているブロックノイズを定量的に検出する。検出結果は、ブロックノイズの大きさと数量の２つの要素のデータとして算出される。そして、ブロックノイズの検出結果を制御部５５０に出力する。
【００４４】
記憶部５４０は、フロントエンド部５２０の復調部５２２の受信モードを複数記憶している。その複数のモードとは、通常受信モードと、フロントエンド性能の重要な性能を強くするモードで、２種類以上準備する。そして、仮に、フロントエンド強化モードＡとフロントエンド強化モードＢとする。そして、通常受信モード、フロントエンド強化モードＡ、フロントエンド強化モードＢの各々のレジスタ値を記憶部５４０に準備する。
【００４５】
通常受信モードは復調部５２２のレジスタ設定値をあらかじめ２種類以上準備し、適応制御アルゴリズムにより、そのレジスタ設定値切り替えを行うモードである。そして、フロントエンド強化モードＡ、Ｂは適応制御せずに、各々の１種類のレジスタ値を準備しておき、強化する性能はＡとＢで違うという特徴を持つ。たとえば、フロントエンド強化モードＡでは対位相雑音性能を強くするレジスタ値を準備する。フロントエンド強化モードＢでは、ゴースト性能を強くするレジスタ値を準備する。なお、フロントエンド強化モードは、前記位相雑音性能、ゴースト性能だけでなく、ノイズ性能、ＡＧＣ追従性能など、復調部５２２を構成する構成要素全てにおいて準備する可能性があり、受信モードの数を増やせば拡張可能である。
【００４６】
制御部５５０は、ユーザがリモコン３００でフロントエンドの受信モードを選択する指示を入力したとき、ＯＳＤ部５７０に図５の受信モードの選択の図を表示させるようにする。そして、ユーザがリモコン３００で選択したフロントエンドの受信モードを記憶部５４０に記憶された複数のモードから選択された受信モードを選び出し、フロントエンド部５２０の復調部５２２に出力して、フロントエンド部５２０が最適な受信モードで受信信号を復号するように制御する。復調部５２２が復調した後、制御部５５０はブロックノイズ検出部５３０が検出した映像信号のブロックノイズの検出結果を入力し、受信モード毎にブロックノイズの検出結果をＯＳＤ部５７０に出力する。更に、各チャンネルの受信モード毎のブロックノイズの検出結果を記憶部５４０に記憶させ、ユーザがチャンネル毎に設定した受信モードも記憶部５４０に記憶させる。また、ユーザがリモコン３００で入力したチャンネルチューニングの指示をフロントエンド部５２０のチューナ部５２１に出力する。
【００４７】
リモコン受信部５６０は、ユーザがリモコン３００で入力した指示をリモコン信号から電気信号に変換し、制御部５５０に伝達する。
【００４８】
ＯＳＤ部５７０は、制御部５５０の指示により図５の受信モードの選択の図を作成したり、受信モード毎にブロックノイズの検出結果を表示する図を作成したり、ＯＳＤ画面を作成する。
【００４９】
映像表示部５８０は、フロントエンド部５２０の復調部５２２で復調された映像信号を表示したり、その映像信号の上に、ＯＳＤ部５７０で作成された映像を上乗せして表示したりする。映像表示部５８０はプラズマディスプレイ、液晶パネル、ブラウン管などで構成される。
【００５０】
次に、本発明のデジタル放送受信機のフローについて説明する。図６は本発明の実施の形態２におけるデジタル放送受信機の受信モード選択のフローチャートである。
【００５１】
ユーザがチューニングする地上波デジタル放送のチャンネルのフロントエンドの受信モードを通常受信モード以外に選択するときは、まず制御部５５０はリモコン受信部５６０経由でリモコン信号を入力し、受信モードの選択画面に入る指示であることを確認する。そして、制御部５５０はＯＳＤ部５７０に図５のデジタル放送受信機の受信モード選択の図を作成するように指示し、映像表示部５８０に受信モードの選択画面を表示させる（ステップＳ４１０）。
【００５２】
受信モードは出荷時において設定１（通常受信モード）であるが、この受信モード選択画面でユーザは設定２（フロントエンド強化モードＡ）、設定３（フロントエンド強化モード）のいずれかをリモコン３００で選択することが可能となる。制御部５５０は、ユーザが設定１（通常受信モード）以外の受信モードを選択したかどうかを確認する（ステップＳ４２０）。ステップＳ４２０で設定１（通常受信モード）以外を選択した場合、例えば、ユーザがリモコン３００で設定２（フロントエンド強化モードＡ）を選択した場合、制御部５５０はリモコン受信部５６０経由で入力したリモコン信号から現在チューニング中のチャンネルの受信モードを設定２（フロントエンド強化モードＡ）に変更すると判断する。そして、制御部５５０は記憶部５４０に記憶されている設定２（フロントエンド強化モードＡ）の設定レジスタ値を呼出し（ステップＳ４３０）、フロントエンド部５２０の復調部５２２に出力し、復調部５２２が設定２（フロントエンド強化モードＡ）の設定レジスタ値で再復調を行うように制御する（ステップＳ４４０）。
【００５３】
また、ステップＳ４２０で設定１（通常受信モード）を選択した場合、受信モード選択を終了する。
【００５４】
復調部５２２でチューニングされた受信信号の復調が終了したとき、復調部５２２は映像信号をブロックノイズ検出部５３０に出力する。そして、ブロックノイズ検出部５３０はその映像信号に含まれているブロックノイズをブロックノイズの大きさと数量の２つの要素のデータとして定量的に算出して、検出する。ブロックノイズ検出部５３０は、検出結果を制御部５５０に出力する（ステップＳ４５０）。
【００５５】
制御部５５０はブロックノイズ検出部５３０からブロックノイズ検出結果を入力し、再復調した設定２（フロントエンド強化モードＡ）での選局状態として、ブロックノイズ検出結果を画面表示すべく、ＯＳＤ部５７０にＯＳＤ画面の作成の指示を行う。そして、ＯＳＤ部５７０で作成されたブロックノイズ検出結果が表示されたＯＳＤ画面を映像表示部５８０に表示する（ステップＳ４６０）。
【００５６】
ユーザはブロックノイズ検出結果を見て受信結果が良好であるかどうか判断する（ステップＳ４７０）。ステップＳ４７０で受信結果が良好と判断した場合は、そのチャンネルでの受信モード選択が完了してその受信モードで固定すべく、リモコン３００で受信モード選択の完了の指示を行う。制御部５５０はリモコン受信部５６０経由で、ユーザからの受信モード選択完了指示を入力し、最後に再復調した受信モードがそのチャンネルの最適受信モードとして記憶部５４０に記憶する（ステップＳ４８０）。
【００５７】
或いは、ステップＳ４７０での受信結果が良好と判断しなかった場合は、再度ステップＳ４２０に戻って、他の受信モードでステップＳ４３０からステップＳ４５０の再復調を行う。そして、制御部５５０は、複数のモードで再選局したブロックノイズ検出結果を画面表示すべく、ＯＳＤ表示部５７０に指示し、映像表示部５８０に複数のブロックノイズ検出結果をＯＳＤ表示する（ステップＳ４６０）。そして、ユーザは映像表示部５８０に表示された複数のブロックノイズ検出結果を見て受信結果が良好であるかを判断し（ステップＳ４７０）、最適な受信モードを選択する。制御部５５０はユーザが選択した受信モードがそのチャンネルの最適受信モードとして記憶部５４０に記憶する（ステップＳ４８０）。これらのフローにて本発明のデジタル放送受信機の受信モードの選択は完了する。
【００５８】
かかる構成によれば、フロントエンド性能にとって重要な性能を重視したモードを有し、ユーザのキー入力操作とブロックノイズ検出結果とでモード設定を行うことにより、最適な受信モードを選択することが可能となり、ブロックノイズの少ない良好な画像を出力することができる。
【００５９】
なお、本実施の形態において、最適受信モードはユーザのリモコン３００により記憶部５４０に記憶するとしたが、制御部５５０がブロックノイズ検出結果により自動的に記録部５４０に記憶するとしても良い。その場合は、ユーザが特定のチャンネルで受信モード選択をリモコン３００により指示すると、制御部５５０はリモコン受信部５６０経由で入力した指示に従い、記憶部５４０から各受信モードを呼出す。そして、呼出した受信モード毎にフロントエンド部５２０の復調部５２２は再復調を行い、ブロックノイズ検出部５３０に映像を出力する。そして、ブロックノイズ検出部５３０は映像に含まれたブロックノイズの検出結果を制御部５５０に出力する。制御部５５０は、記憶部５４０に記憶された全ての受信モードを復調部５２２に再復調するように指示し、ブロックノイズ検出部５３０から全ての受信モードでのブロックノイズ検出結果を入力すると、最適受信モードを選択する。そして、制御部５５０はＯＳＤ部５６０に全受信モードのブロックノイズ検出結果を表示したＯＳＤ画面の作成を指示し、映像表示部５８０に全ての受信モードのブロックノイズ検出結果を表示させる。更に、制御部５５０は記憶部５４０にそのチャンネルでの最適受信モードを記憶させる。
【００６０】
なお、本実施の形態において、選択された１つのチャンネルの最適受信モードを選択するとしたが、全受信チャンネルの最適受信モードを選択するとしても良い。その場合は、例えば、初期のチャンネルチューニング設定時に、低チャンネルから高チャンネルにチューニング設定を行う際に、チャンネル毎に上記の受信モード選択のアルゴリズムを適応する。
【００６１】
（実施の形態３）
まず、本発明のデジタル放送受信機の構成について説明する。図７は、本発明の実施の形態３におけるデジタル放送受信機のブロック図である。
【００６２】
図７において、デジタル放送受信機７００は、放送波を受信するためにアンテナ２００が接続されている。また、デジタル放送受信機７００は、ユーザが遠隔より操作できるようリモコン３００により遠隔操作可能となっている。
【００６３】
デジタル放送受信機７００は、入力端子７１０と、フロントエンド部７２０と、ビット誤り率算出部７３０と、記憶部７４０と、制御部７５０と、リモコン受信部７６０と、ＯＳＤ（Ｏｎ  Ｓｃｒｅｅｎ  Ｄｉｓｐｌａｙ）部７７０と、映像表示部７８０とで構成されている。
【００６４】
入力端子７１０は、アンテナ２００が受信した放送波をデジタル放送受信機７００に入力するインターフェースである。
【００６５】
フロントエンド部７２０は、入力端子７１０から入力した放送波を受信してユーザの選択したチャンネルをチューニングするチューナ部７２１と、チューニングされた受信信号を映像信号に復調する復調部７２２から構成されている。復調部７２２は制御部７５０経由でユーザから指示されたフロントエンドの受信モードで受信信号を復調する。
【００６６】
ビット誤り率算出部７３０は、復調部７２２の誤り訂正部により算出された１ビット当たりの誤りの割合を算出する。算出結果は、１以下の数字で表され、たとえば１００ビットに対して１ビット誤りがある場合は、１×１０の−２乗という数量として、算出され、ゼロであれば誤りがないと判断できる。そして、ビット誤り率の算出結果を制御部７５０に出力する。
【００６７】
記憶部７４０は、フロントエンド部７２０の復調部７２２の受信モードを複数記憶している。その複数のモードとは、通常受信モードと、フロントエンド性能の重要な性能を強くするモードで、２種類以上準備する。そして、仮に、フロントエンド強化モードＡとフロントエンド強化モードＢとする。そして、通常受信モード、フロントエンド強化モードＡ、フロントエンド強化モードＢの各々のレジスタ値を記憶部７４０に準備する。
【００６８】
通常受信モードは復調部７２２のレジスタ設定値をあらかじめ２種類以上準備し、適応制御アルゴリズムにより、そのレジスタ設定値切り替えを行うモードである。そして、フロントエンド強化モードＡ、Ｂは適応制御せずに、各々の１種類のレジスタ値を準備しておき、強化する性能はＡとＢで違うという特徴を持つ。たとえば、フロントエンド強化モードＡでは対位相雑音性能を強くするレジスタ値を準備する。フロントエンド強化モードＢでは、ゴースト性能を強くするレジスタ値を準備する。なお、フロントエンド強化モードは、前記位相雑音性能、ゴースト性能だけでなく、ノイズ性能、ＡＧＣ追従性能など、復調部７２２を構成する構成要素全てにおいて準備する可能性があり、受信モードの数を増やせば拡張可能である。
【００６９】
制御部７５０は、ユーザがリモコン３００でフロントエンドの受信モードを選択する指示を入力したとき、ＯＳＤ部７７０に図８の受信モードの選択の図を表示させるようにする。そして、ユーザがリモコン３００で選択したフロントエンドの受信モードを記憶部７４０に記憶された複数のモードから選択された受信モードを選び出し、フロントエンド部７２０の復調部７２２に出力して、フロントエンド部７２０が最適な受信モードで受信信号を復号するように制御する。復調部７２２が復調した後、制御部７５０はビット誤り率算出部７３０が算出したビット誤り率の検出結果を入力し、受信モード毎にビット誤り率の算出結果をＯＳＤ部７７０に出力する。更に、各チャンネルの受信モード毎のビット誤り率の算出結果を記憶部７４０に記憶させ、ユーザがチャンネル毎に設定した受信モードも記憶部７４０に記憶させる。また、ユーザがリモコン３００で入力したチャンネルチューニングの指示をフロントエンド部７２０のチューナ部７２１に出力する。
【００７０】
リモコン受信部７６０は、ユーザがリモコン３００で入力した指示をリモコン信号から電気信号に変換し、制御部７５０に伝達する。
【００７１】
ＯＳＤ部７７０は、制御部７５０の指示により図８の受信モードの選択の図を作成したり、受信モード毎にブロックノイズの検出結果を表示する図を作成したり、ＯＳＤ画面を作成する。
【００７２】
映像表示部７８０は、フロントエンド部７２０の復調部７２２で復調された映像信号を表示したり、その映像信号の上に、ＯＳＤ部７７０で作成された映像を上乗せして表示したりする。映像表示部７８０はプラズマディスプレイ、液晶パネル、ブラウン管などで構成される。
【００７３】
次に、本発明のデジタル放送受信機のフローについて説明する。図９は本発明の実施の形態１におけるデジタル放送受信機の受信モード選択のフローチャートである。
【００７４】
ユーザがチューニングする地上波デジタル放送のチャンネルのフロントエンドの受信モードを通常受信モード以外に選択するときは、まず制御部７５０はリモコン受信部７６０経由でリモコン信号を入力し、受信モードの選択画面に入る指示であることを確認する。そして、制御部７５０はＯＳＤ部７７０に図５のデジタル放送受信機の受信モード選択の図を作成するように指示し、映像表示部７８０に受信モードの選択画面を表示させる（ステップＳ４１０）。
【００７５】
受信モードは出荷時において設定１（通常受信モード）であるが、この受信モード選択画面でユーザは設定２（フロントエンド強化モードＡ）、設定３（フロントエンド強化モード）のいずれかをリモコン３００で選択することが可能となる。制御部７５０は、ユーザが設定１（通常受信モード）以外の受信モードを選択したかどうかを確認する（ステップＳ４２０）。ステップＳ４２０で設定１（通常受信モード）以外を選択した場合、例えば、ユーザがリモコン３００で設定２（フロントエンド強化モードＡ）を選択した場合、制御部７５０はリモコン受信部７６０経由で入力したリモコン信号から現在チューニング中のチャンネルの受信モードを設定２（フロントエンド強化モードＡ）に変更すると判断する。そして、制御部７５０は記憶部７４０に記憶されている設定２（フロントエンド強化モードＡ）の設定レジスタ値を呼出し（ステップＳ４３０）、フロントエンド部７２０の復調部７２２に出力し、復調部７２２が設定２（フロントエンド強化モードＡ）の設定レジスタ値で再復調を行うように制御する（ステップＳ４４０）。
【００７６】
また、ステップＳ４２０で設定１（通常受信モード）を選択した場合、受信モード選択を終了する。
【００７７】
復調部７２２でチューニングされた受信信号の復調が終了したとき、復調部７２２はビット誤り率算出部７３０に出力する。そして、ビット誤り率算出部７３０は、映像信号中のビット誤り率の算出結果を制御部７５０に出力する（ステップＳ４５５）。
【００７８】
制御部７５０はビット誤り率算出部７３０からビット誤り率算出結果を入力し、再復調した設定２（フロントエンド強化モードＡ）での選局状態として、ビット誤り率算出結果を画面表示すべく、ＯＳＤ部７７０にＯＳＤ画面の作成の指示を行う。そして、ＯＳＤ部７７０で作成されたビット誤り率算出結果が表示されたＯＳＤ画面を映像表示部７８０に表示する（ステップＳ４６５）。
【００７９】
ユーザはビット誤り率算出結果を見て受信結果が良好であるかどうか判断する（ステップＳ４７０）。ステップＳ４７０で受信結果が良好と判断した場合は、そのチャンネルでの受信モード選択が完了してその受信モードで固定すべく、リモコン３００で受信モード選択の完了の指示を行う。制御部７５０はリモコン受信部７６０経由で、ユーザからの受信モード選択完了指示を入力し、最後に再復調した受信モードがそのチャンネルの最適受信モードとして記憶部７４０に記憶する（ステップＳ４８０）。
【００８０】
或いは、ステップＳ４７０での受信結果が良好と判断しなかった場合は、再度ステップＳ４２０に戻って、他の受信モードでステップＳ４３０からステップＳ４５０の再復調を行う。そして、制御部７５０は、複数のモードで再選局したビット誤り率算出結果を画面表示すべく、ＯＳＤ表示部７７０に指示し、映像表示部７８０に複数のビット誤り率算出結果をＯＳＤ表示する（ステップＳ４６０）。そして、ユーザは映像表示部７８０に表示された複数のビット誤り率算出結果を見て受信結果が良好であるかを判断し（ステップＳ４７０）、最適な受信モードを選択する。制御部７５０はユーザが選択した受信モードがそのチャンネルの最適受信モードとして記憶部７４０に記憶する（ステップＳ４８０）。これらのフローにて本発明のデジタル放送受信機の受信モードの選択は完了する。
【００８１】
かかる構成によれば、フロントエンド性能にとって重要な性能を重視したモードを有し、ユーザのキー入力操作とビット誤り率の算出結果とでモード設定を行うことにより、最適な受信モードを選択することが可能となり、ブロックノイズの少ない良好な画像を出力することができる。
【００８２】
なお、本実施の形態において、最適受信モードはユーザのリモコン３００により記憶部７４０に記憶するとしたが、制御部７５０がビット誤り率算出結果により自動的に記録部７４０に記憶するとしても良い。その場合は、ユーザが特定のチャンネルで受信モード選択をリモコン３００により指示すると、制御部７５０はリモコン受信部７６０経由で入力した指示に従い、記憶部７４０から各受信モードを呼出す。そして、呼出した受信モード毎にフロントエンド部７２０の復調部７２２は再復調を行い、ビット誤り率算出部７３０に映像を出力する。そして、ビット誤り率算出部７３０はビット誤り率算出結果を制御部７５０に出力する。制御部７５０は、記憶部７４０に記憶された全ての受信モードを復調部１２２に再復調するように指示し、ブロックノイズ検出部７３０から全ての受信モードでのビット誤り率算出結果を入力すると、最適受信モードを選択する。そして、制御部７５０はＯＳＤ部７６０に全受信モードのビット誤り率算出結果を表示したＯＳＤ画面の作成を指示し、映像表示部７８０に全ての受信モードのビット誤り率算出結果を表示させる。更に、制御部７５０は記憶部７４０にそのチャンネルでの最適受信モードを記憶させる。
【００８３】
なお、本実施の形態において、選択された１つのチャンネルの最適受信モードを選択するとしたが、全受信チャンネルの最適受信モードを選択するとしても良い。その場合は、例えば、初期のチャンネルチューニング設定時に、低チャンネルから高チャンネルにチューニング設定を行う際に、チャンネル毎に上記の受信モード選択のアルゴリズムを適応する。
【産業上の利用可能性】
【００８４】
本発明にかかるデジタル放送受信機は、アンテナで受信する多種多様信号に対して、ブロックノイズの発生しない映像を提供することが可能になるので、ユーザによりテレビの受信性能（フロントエンド性能）を切り替え可能にしたデジタル放送受信機等として有用である。
【図面の簡単な説明】
【００８５】
【図１】本発明の実施の形態１におけるデジタル放送受信機のブロック図
【図２】本発明の実施の形態１におけるデジタル放送受信機の受信モード選択の図
【図３】本発明の実施の形態１におけるデジタル放送受信機の受信モード選択のフローチャート
【図４】本発明の実施の形態２におけるデジタル放送受信機のブロック図
【図５】本発明の実施の形態２におけるデジタル放送受信機の受信モード選択の図
【図６】本発明の実施の形態２におけるデジタル放送受信機の受信モード選択のフローチャート
【図７】本発明の実施の形態３におけるデジタル放送受信機のブロック図
【図８】本発明の実施の形態３におけるデジタル放送受信機の受信モード選択の図
【図９】本発明の実施の形態３におけるデジタル放送受信機の受信モード選択のフローチャート
【図１０】従来のデジタル放送受信機のブロック図
【符号の説明】
【００８６】
１００、５００、７００    デジタル放送受信機
１１０、５１０、７１０    入力端子
１２０、５２０、７２０    フロントエンド部
１２１、５２１、７２１    チューナ部
１２２、５２２、７２２    復調部
１４０、５４０、７４０    記憶部
１５０、５５０、７５０    制御部
１６０、５６０、７６０    リモコン受信部
１７０、５７０、７７０    ＯＳＤ部
１８０、５８０、７８０    映像表示部
２００    アンテナ
３００    リモコン
５３０    ブロックノイズ検出部
７３０    ビット誤り率算出部
【図１】
2008182521.tif 000003
【図２】
2008182521.tif 000004
【図３】
2008182521.tif 000005
【図４】
2008182521.tif 000006
【図５】
2008182521.tif 000007
【図６】
2008182521.tif 000008
【図７】
2008182521.tif 000009
【図８】
2008182521.tif 000010
【図９】
2008182521.tif 000011
【図１０】
2008182521.tif 000012